(57)【要約】【課題】本発明は、筆記時にインク流出量を増加させることができるため、向上した筆記感を実現することが可能であるボールペン用チップを提供する。【解決手段】本発明のボールペン用チップは、球状に形成されるボール１０１と、先端側が円錐形状に形成され、インク流出通路１１１の端部にボールハウス１１２が形成され、ボール１０１がボールハウス１１２に一部露出した状態で支持されるように先端部１１４をすぼませることによってボール支持部１１５が形成されるチップ本体１１０とを含み、チップ本体１１０のボール支持部１１５を形成するための先端部１１４の外周面は３〜１０°の範囲でテーパー角を設定して形成する。 【選択図】図４
2011056947.tif 000002
【特許請求の範囲】
【請求項１】
球状に形成されるボールと、
先端側が円錐形状に形成され、インク流出通路の端部にボールハウスが形成され、前記ボールが前記ボールハウスに一部露出した状態で支持されるように先端部をすぼませることによってボール支持部が形成されるチップ本体とを含み、
前記チップ本体の前記ボール支持部を形成するための前記先端部の外周面は３〜１０°の範囲でテーパー角を設定して形成するボールペン用チップ。
【発明の詳細な説明】
【技術分野】
【０００１】
本発明はボールペン用チップに関するものであって、より詳しくは、ボール支持部を形成するための先端部の外周面傾斜をなだらかに処理することによってインク流出量を増加させ、より向上した筆記感を実現することが可能であるように構成したボールペン用チップに関するものである。
【背景技術】
【０００２】
一般的に、ボールペンは、ボールが紙面など筆記面との摩擦で回転することによって、ボールにインクがくっ付いて出てきて、紙に転写される方式で筆記が行われるものであって、ボールペン用チップを備えるようになる。
【０００３】
図１および図２に示すように、従来のボールペンに備えられるボールペン用チップ１は、チップ本体２と、チップ本体２の先端側に設けられるボール１０とで構成され、チップ本体２には、インク流出通路３と、このインク流出通路３の端部に位置し、ボール１０が一部露出した状態で位置するボールハウス４とが形成される。
【０００４】
ボールペン用チップ１のチップ本体２の先端側は、ほぼ３０〜６０°程度の外周傾斜面５を有する円錐形状に形成する。そして、ボール１０をボールハウス４に挿入させた状態で先端部が内側にすぼむように、スピニング（spinning）やコーキング（caulking）などを行うことによってボール１０が支持されるようにボール支持部６を形成する。
【０００５】
このようなボールペン用チップ１は、筆記時に加えられる圧力によってボール１０が後進して、ボール１０とボール支持部６の内面との間隙が広がりつつインクを流出させるようになる。
【０００６】
ところが、従来のボールペン用チップ１は、チップ本体２にボール支持部６を形成することにおいてボール１０の露出した部分の高さ（ｈ）および製造上の便宜性などに重点を置いたため、インク流出性能は考慮されていない実情である。
【発明の概要】
【発明が解決しようとする課題】
【０００７】
本発明は上記問題に鑑みてなされたものであり、ボール支持部を形成するための先端部の外周傾斜面をなだらかに形成することによってボール支持部を形成した後のボールの流動間隔が増加し、それによってインク流出量を効果的に増加させることが可能であるため、筆記感を向上させることができるボールペン用チップを提供することにその目的がある。
【課題を解決するための手段】
【０００８】
本発明の実施形態によるボールペン用チップは、球状に形成されるボールと、先端側が円錐形状に形成され、インク流出通路の端部にボールハウスが形成され、ボールがボールハウスに一部露出した状態で支持されるように先端部をすぼませることによってボール支持部が形成されるチップ本体とを含んで構成される。
【０００９】
チップ本体のボール支持部を形成するための先端部の外周面は、ほぼ３〜１０°程度の範囲で角度を設定して形成する。
【発明の効果】
【００１０】
本発明の実施形態によるボールペン用チップによれば、チップ本体のボール支持部を形成するための先端部の外周面のテーパー角を一定の角度範囲で形成する場合、ボール支持部を形成した後のボールの前後流動間隔が大きくなり、筆記時にボールとボール支持部内面の間に流出するインク流出量を増加させることが可能になる。
【００１１】
したがって、従来に比べて柔らかく円滑な筆記が可能になるなど、筆記感を向上させることができる。
【００１２】
そして、本発明の実施形態にかかるボールペン用チップによれば、筆記時にボールとボール支持部内面の間の間隔が大きくなるので、ボール支持部の内部に流入できずに外側に凝集するインクの発生量を減少させることができる。
【００１３】
したがって、凝集されたインクが筆記線、筆記面、手などにくっ付いて汚れる現象を減少させることができ、良好な清潔状態を維持しながら筆記、保管などをすることが可能である。
【図面の簡単な説明】
【００１４】
【図１】従来のボールペン用チップを示す正面図である。
【図２】従来のボールペン用チップを示す拡大断面図である。
【図３】本発明の一実施形態にかかるボールペン用チップにおいて、ボール支持部を形成する以前の状態を示す拡大断面図である。
【図４】本発明の一実施形態にかかるボールペン用チップにおいて、ボール支持部を形成した以降の状態を示す拡大断面図である。
【発明を実施するための形態】
【００１５】
以下に本発明によるボールペン用チップの好適な実施の形態を、図面を参照して詳細に説明する。
【００１６】
まず、本発明の一実施形態によるボールペン用チップは、図１〜３に示すように、ボール１０１と、先端側にボール１０１が設けられるチップ本体１１０とを含んで構成される。
【００１７】
ボール１０１は、所定の直径を有する球状に形成される。
【００１８】
でボール１０１の直径は、ほぼ０.３〜１.２ｍｍ程度のものが使用可能である。
【００１９】
チップ本体１１０の先端側は円錐形状に形成され、後端部はインク保存管２０に組立てられる。
【００２０】
チップ本体１１０には、インク保存管２０に保存されるインクがボール１０１側へ供給されるように中心軸線（Ｃ）に沿って貫くインク流出通路１１１が形成される。
【００２１】
チップ本体１１０のインク流出通路１１１の前方端部には、内部にボール１０１が位置するボールハウス１１２が形成される。
【００２２】
ボール１０１は、ボールハウス１１２に一部分が露出した状態で設けられる。
【００２３】
チップ本体１１０の先端部１１４には、スピニング（またはコーキングなど）を行うことによってボール支持部１１５が形成される。
【００２４】
ボール支持部１１５を形成するための先端部１１４は、後方に行くほど外径が徐々に大きくなって、外周傾斜面と中心軸線（Ｃ）とが成す角度（ａ）（以下、「テーパー角」という）をほぼ３〜１０°程度に形成する。
【００２５】
即ち、先端部１１４の外周面は、ボール支持部１１５を形成する以前のテーパー角（ａ）をほぼ３〜１０°程度に形成する。
【００２６】
下記の表１は、先端部１１４のテーパー角（ａ）に応じて筆記時にボール１０１とボール支持部１１５の内面の間に流出するインクの量（Ｑ）（以下、「インク流出量」という）に対する変化を調べるために実験したものであって、ボール支持部１１５を形成する以前のボール高さ（ｈ１）とボール支持部１１５を形成した以降のボール高さ（ｈ２）を一定に維持した状態でテーパー角（ａ）とスピニング幅（ｂ）を変化させ、それに伴うボール１０１の前後流動間隔（ｄ）とインク流出量（Ｑ）を測定した。
【００２７】
前記実験において、ボール１０１は０.７ｍｍ、チップ本体１１０は０.７ｍｍハイブリッド用テスト１４、インクはＪＳＲＢ  ２を各々使用しており、ボール支持部１１５は回転数２５２０ｒｐｍでスピニングを行って実験を進行した。
【表１】
2011056947.tif 000003
【００２８】
表１から分かるように、テーパー角（ａ）が大きくなるほどボール１０１の前後流動間隔（ｄ）およびインク流出量（Ｑ）は概して減少し、テーパー角（ａ）が小さくなるほどボール１０１の前後流動間隔（ｄ）およびインク流出量（Ｑ）は増加することが確認された。
【００２９】
一方、テーパー角（ａ）が小さくてほぼ３°未満である場合、チップ本体１１０の先端部のスピニングを行うことが困難であり、テーパー角（ａ）がほぼ１０°を超える場合、ボール１０１の前後流動間隔（ｄ）が増加しないので、望ましくない。
【００３０】
以上では本発明によるボールペン用チップの好適な実施形態について説明したが、本発明はこれに限定されるわけではなく、特許請求の範囲および発明の詳細な説明、添付した図面の範囲内で多様に変形して実施することが可能であり、これも本発明の範囲内に属する。
【符号の説明】
【００３１】
１  ボールペン用チップ
２、１１０  チップ本体
３、１１１  インク流出通路
４、１１２  ボールハウス
５  外周傾斜面
６、１１５  ボール支持部
１０、１０１  ボール
２０  インク保存管
１１１  インク流出通路
１１４  チップ本体の先端部
【図１】
2011056947.tif 000004
【図２】
2011056947.tif 000005
【図３】
2011056947.tif 000006
【図４】
2011056947.tif 000007